(57)【要約】【課題】  前側面を自在にデザインできる機能柱を提供する。【解決手段】  主柱と、側面柱と、意匠柱を備え、主柱の後側に、側面柱を連結してあり、主柱の左右一方側に、意匠柱を連結してあり、側面柱は、左右他方側面に、インターホン及び／又はポストを有しており、意匠柱は、全部又は前側面を含む一部が、前側面の意匠が異なるものに付け替え自在である。【選択図】      図１
2019152093.tif 000002
【特許請求の範囲】
【請求項１】
主柱と、側面柱と、意匠柱を備え、主柱の後側に、側面柱を連結してあり、主柱の左右一方側に、意匠柱を連結してあり、側面柱は、左右他方側面に、インターホン及び／又はポストを有しており、意匠柱は、全部又は前側面を含む一部が、前側面の意匠が異なるものに付け替え自在であることを特徴とする機能柱。
【発明の詳細な説明】
【技術分野】
【０００１】
本発明は、インターホンやポストなどの機能を備える機能柱に関する。
【背景技術】
【０００２】
従来、玄関先に設置される機能柱においては、インターホンやポストなどの機能部が前側面に設けられている。
【発明の概要】
【発明が解決しようとする課題】
【０００３】
このような従来の機能柱においては、機能部により前側面の意匠が制約されるという問題があり、より前側面を自在にデザインできるものが求められていた。
【０００４】
本発明は、上記事情を鑑みたものであり、前側面を自在にデザインできる機能柱を提供することを目的とする。
【課題を解決するための手段】
【０００５】
本発明は、主柱と、側面柱と、意匠柱を備え、主柱の後側に、側面柱を連結してあり、主柱の左右一方側に、意匠柱を連結してあり、側面柱は、左右他方側面に、インターホン及び／又はポストを有しており、意匠柱は、全部又は前側面を含む一部が、前側面の意匠が異なるものに付け替え自在であることを特徴とする。
【発明の効果】
【０００６】
本発明によれば、インターホンやポストなどの機能部を左右側面に集めたので、前側面の意匠が制約されない。そして、意匠柱の全部又は一部が付け替え自在で、前側面の意匠を自在に変えられる。
【図面の簡単な説明】
【０００７】
【図１】第一実施形態の横断面図（照明具がない高さ位置、図３のＢ−Ｂ線断面図）である。
【図２】第一実施形態の横断面図（照明具がある高さ位置、図３のＡ−Ａ線断面図）である。
【図３】第一実施形態を示し、（ａ）は左側面図、（ｂ）は正面図である。
【図４】照明具の取り付けの説明図である。
【図５】第二実施形態の横断面図（図６のＣ−Ｃ線断面図）である。
【図６】第二実施形態を示し、（ａ）は左側面図、（ｂ）は正面図である。
【図７】第三実施形態の横断面図（照明具がない高さ位置、図９のＥ−Ｅ線断面図）である。
【図８】第三実施形態の横断面図（照明具がある高さ位置、図９のＤ−Ｄ線断面図）である。
【図９】第三実施形態を示し、（ａ）は左側面図、（ｂ）は正面図である。
【図１０】第三実施形態の意匠柱の分解斜視図である。
【図１１】装飾パネルと連結材の拡大図である。
【図１２】機能柱の上面のキャップを示し、（ａ）は分解斜視図、（ｂ）は取り付けの説明図である。
【発明を実施するための形態】
【０００８】
以下、本発明の実施の形態を図面に基づいて説明する。この機能柱の第一実施形態は、表札、照明、インターホン及びポストの各機能を備えるものであり、図１〜図３に示すように、主柱１と、主柱１の後側に連結した側面柱２と、主柱１の右側に連結した意匠柱３の三本の柱を組み合わせた構造になっている。
【０００９】
主柱１は、アルミ押出形材からなり、断面略矩形で、右側面の前側に溝部１１を形成してあり、後側に連結溝１２を形成してあり、さらに後側面の左側部に凸部１３を形成してある。また、主柱１の中空部内には、各所に電源を供給するためのケーブル１４を挿通してある。
【００１０】
側面柱２は、アルミ押出形材からなり、断面略矩形の後端中空部２１と、後端中空部２１の前側面左端から前側に向けて延びる側壁面２２を有し、側壁面２２の前端が右側に屈曲していて、主柱１の凸部１３の左側面に当接している。すなわち、側面柱２は主柱１の後側に連結してある。そして、主柱１の凸部１３と側面柱２の後端中空部２１及び側壁面２２に囲まれて形成された収納空間２３内に、インターホン２４やポスト２５を納めてある。インターホン２４は、図２及び図３に示すように、操作部が側壁面２２に形成した孔を通して左側面に露出するように設けてあり、機能柱の左側から操作できるようになっている。また、ポスト２５は、図１及び図３に示すように、箱形の収容部２５ａと、収容部２５ａの左側面に設けた投入口２５ｂと、収容部２５ａの後側面に設けた取出口２５ｃを備えるものであって、インターホン２４の下側に位置しており、収容部２５ａの前側面と後側面を、主柱１の凸部１３と側面柱２の後端中空部２１にそれぞれネジ止めしてある。そして、投入口２５ｂが側壁面２２に形成した孔を通して左側面に露出するように設けてあり、機能柱の左側から郵便物などを投入し、後側から取り出せるようになっている。さらに、図２に示すように、収納空間２３の開口部に、右側から背面板２６を取り付けてあり、インターホン２４を覆い隠している。背面板２６は、Ｌ字金具２７を介して主柱１の凸部１３と側面柱２の後端中空部２１にそれぞれネジ止めしてある。ただし、ポスト２５は収容部２５ａが側面柱２から右側に大きく突出しており、当該部分には背面板２６が設けられていない。
【００１１】
意匠柱３は、図１に示すように、ベースパネル３１と、化粧パネル３２を備え、ベースパネル３１の前側面に、化粧パネル３２を取り付けてあり、ベースパネル３１と化粧パネル３２を合わせた前後幅が、主柱１の前後幅に略等しい。ベースパネル３１は、アルミ押出形材からなり、断面略矩形の中空矩形平板である。後側面の左右端部には、上下の全長にわたって延びる凹溝３３を設けてあり、前側面の右端には、上下の全長にわたって延びる係止溝３４を設けてあり、さらに左側面には、上下に延びる二枚の連結片３５を形成してある。凹溝３３の底面には、上下にわたって複数のネジ孔を形成してある。一方、化粧パネル３２は、アルミ押出形材からなり、断面略コ字形で後側に向けて開口するものであって、左右の後端部が開口内側に向けて屈曲している。この化粧パネル３２の右側の後端部をベースパネル３１の係止溝３４に挿入し、左側の後端部をベースパネル３１の前側面に当接させてある。化粧パネル３２の左右の後端部の位置は、ベースパネル３１の左右の凹溝３３の位置に対応しており、凹溝３３のネジ孔にネジを挿入し、化粧パネル３２に螺合して、ベースパネル３１と化粧パネル３２を固定してある。そして、ベースパネル３１の後側から凹溝３３に目板３６を取り付け、ネジを覆い隠してある。なお、化粧パネル３２については、塗装やラミネート加工などにより種々の色や木目模様などを表したものを備えてあり、それらを自在に選択できる。そして、このように構成した意匠柱３を、主柱１に連結してある。より詳しくは、意匠柱３のベースパネル３１の連結片３５を主柱１の連結溝１２に挿入し、後側から主柱１とベースパネル３１に跨って連結板１５を当接させ、連結板１５を主柱１とベースパネル３１にそれぞれネジ止めしてあり、こうして、意匠柱３が主柱１の右側（インターホン２４やポスト２５などの機能部を設けた反対側）に連結される。
【００１２】
このように、主柱１の後側に側面柱２を連結し、主柱１の右側に意匠柱３を連結して構成した機能柱は、主柱１と、側面柱２と、意匠柱３が上面視して略Ｌ字形に配置された形状となっている。上記のとおり、意匠柱３の化粧パネル３２は、種々の色や模様のものを自在に選択可能であり、また主柱１や側面柱２についても、どのような色や模様のものであってもよく、特に、全体を木目模様とした場合には、三本の木の柱を連ねたイメージのものとなる。
【００１３】
なお、図２及び図３に示すように、意匠柱３の前側面の上部には、透光性パネル４を取り付けてあり、これが表札になっている。透光性パネル４の取り付け高さ位置には、化粧パネル３２の替わりに、取付部材３７を取り付けてある。取付部材３７は、化粧パネル３２の右端部のみを切り出した形状であり、前側面及び右側面は、化粧パネル３２と略面一となり、左側面には取付溝３８を形成してあり、後端部をベースパネル３１の係止溝３４に挿入してネジ止めしてある。また、化粧パネル３２の上端部には、平板状の蓋材３９を取り付けて、開口部を塞いである。そして、透光性パネル４の右端は、取付部材３７の取付溝３８に挿入してある。また、主柱１の溝部１１には、ＬＥＤからなる照明具５を納めてあり、照明具５と主柱１の前側面の間の隙間に、透光性パネル４の左端を挿入してある。よって、図２に示すように、照明具５は透光性パネル４の後側に位置し、透光性パネル４を背面から照らす。
【００１４】
ここで、照明具５の取り付けについて、より詳細に説明する。図４に示すように、照明具５は、ＬＥＤユニット５１と、照明取付材５２と、照明パネル５３を備える。ＬＥＤユニット５１は、棒状のものであり、主柱１の中空部内を挿通するケーブル１４に接続してあって、電源が供給されている。照明取付材５２は、断面略Ｃ字状で右側に向けて開口しており、主柱１の溝部１１に丁度納まる大きさであって、内部にはＬＥＤユニット５１が納まる。照明パネル５３は、透光性のものであって、右側から照明取付材５２に取り付けて開口部を塞ぐ。このように構成した照明具５を主柱１に取り付ける際には、まず照明取付材５２を溝部１１に嵌め込んでネジ止めするとともに、照明取付材５２内部の、ＬＥＤユニット５１の下端に相当する高さ位置に、ブロック状のストッパ５４をネジ止めして取り付ける。次に、照明取付材５２の上側からＬＥＤユニット５１を挿入すると、ＬＥＤユニット５１の下端部がストッパ５４に係止して、ＬＥＤユニット５１が所定の高さ位置（透光性パネル４に合わせた高さ位置）に納まる。最後に、照明パネル５３を右側から照明取付材５２に取り付けて、照明具５の取り付けが完了する。
【００１５】
このように構成した本発明の機能柱の第一実施形態によれば、インターホン２４やポスト２５などの機能部を左側面に集めたので、前側面の意匠が制約されない。そして、意匠柱３は、ベースパネル３１に対して、その前側面を覆う化粧パネル３２を付け替え自在で、前側面の意匠を自在に変えられる。また、意匠柱３がベースパネル３１と化粧パネル３２からなり、化粧パネル３２だけを付け替えることができるので、施工性がよい。
【００１６】
また、照明具５が主柱１と意匠柱３の間に内蔵され、外部からは視認できないので、シンプルな外観で意匠性が良好である。そして、意匠柱３の前側面に取り付けた透光性パネル４を照明具５が背面側から照らすので、意匠柱３自体が光るような特徴ある意匠となる。また、意匠柱３において透光性パネル４を設ける高さ位置は自在に変更でき、照明具５の高さ位置も主柱１の溝部１１に沿って自在に変更できるので、照明具５を透光性パネル４に合わせた位置に取付可能である。
【００１７】
次に、図５及び図６に基づき、機能柱の第二実施形態について説明する。第二実施形態も、主柱１と、側面柱２と、意匠柱３の三本の柱を組み合わせた構造である。主柱１及び側面柱２並びにそれらに設けた照明具５、インターホン２４及びポスト２５の構造は、第一実施形態と同一であり、意匠柱３及び透光性パネル４の構造のみが第一実施形態と異なるので、以下においては第一実施形態と異なる点についてのみ説明する。
【００１８】
第二実施形態の意匠柱３は、アルミ押出形材からなり、断面略矩形で、前後幅が主柱１の前後幅に略等しい。左側面の後側には、上下に延びる二枚の連結片３５を形成してあり、前側には、連結片３５の形成部よりも右側に引っ込んだ段部４０を形成してある。そして、意匠柱３の連結片３５を主柱１の連結溝１２に挿入し、後側から主柱１と意匠柱３に跨って連結板１５を当接させ、連結板１５を主柱１と意匠柱３にそれぞれネジ止めしてある。このように主柱１と意匠柱３を連結すると、主柱１の右側面の溝部１１に納めた照明具５に、意匠柱３の左側面の段部４０が対向する。そして、段部４０が右側に引っ込んだ形状なので、主柱１の前側面と、意匠柱３の前側面の間に、主柱１の溝部１１と連通する隙間１６が形成される。そして、主柱１及び意匠柱３の上部に、前側から、主柱１と意匠柱３に跨って透光性パネル４を取り付けてあり、これが表札になっている。透光性パネル４は、主柱１及び意匠柱３の前側面にスペーサ４１を挟んでネジ止めしてあり、前側から隙間１６を覆っている。なお、照明具５は、透光性パネル４に合わせた高さ位置に納めてある。
【００１９】
このように構成した本発明の機能柱の第二実施形態によれば、インターホン２４やポスト２５などの機能部を左側面に集めたので、前側面の意匠が制約されない。そして、意匠柱３は、主柱１にネジで固定したもので付け替え自在であるから、前側面の意匠が異なるものを複数備えておくことで、前側面の意匠を自在に変えられる。
【００２０】
また、照明具５が主柱１と意匠柱３の間に内蔵され、外部からは視認できないので、シンプルな外観で意匠性が良好である。そして、主柱１と意匠柱３の間の隙間１６から柔らかい間接光が漏れる特徴ある意匠となる。また、透光性パネル４を設ける高さ位置は自在に変更でき、照明具５の高さ位置も主柱１の溝部１１に沿って自在に変更できるので、照明具５を透光性パネル４に合わせた位置に取付可能である。なお、透光性パネル４を設けないものであってもよく、この場合でも、主柱１と意匠柱３の間の隙間１６から間接光が得られる。また、透光性パネル４の有無にかかわらず、照明具５を上下の全長にわたって設けてもよいし、上下に複数分けて設けてもよく、たとえば下部に設けることで足元灯として用いることもできる。
【００２１】
次に、図７〜図１１に基づき、機能柱の第三実施形態について説明する。第三実施形態も、主柱１と、側面柱２と、意匠柱３の三本の柱を組み合わせた構造である。主柱１及び側面柱２並びにそれらに設けた照明具５、インターホン２４及びポスト２５の構造は、第一実施形態と同一であり、意匠柱３及び透光性パネル４の構造のみが第一実施形態と異なるので、以下においては第一実施形態と異なる点についてのみ説明する。
【００２２】
第三実施形態の意匠柱３は、ベースパネル６と、複数の装飾パネル７及び連結材８を備え、ベースパネル６の前側面に、連結材８で連結した装飾パネル７を取り付けるものである。
【００２３】
ベースパネル６は、アルミ押出形材からなり、図７及び図１０に示すように、断面略矩形の中空矩形平板である。図１０の上下方向が押出方向であって、上下に長い形状となっており、前側面は、略全面が平面状である。また、左側面には、上下に延びる二枚の連結片６４を形成してある。さらに、後側面には、上下の全長にわたって延びる凹溝６１を設けてあって、凹溝６１は左右に二本並んでおり、前側面が凹溝６１の底面となる。
【００２４】
装飾パネル７は、アルミ押出形材からなり、図７、図１０及び図１１に示すように、断面略矩形の中空矩形平板である。図１０及び図１１の上下方向が押出方向であって、上下端部に開口部７１を有しており、上下に長い形状となっているが、上下長さは、すべての装飾パネル７において同じではなく、複数種類の長さのものがある。一方、断面形状はすべての装飾パネル７において同じであって、左右幅はベースパネル６の左右幅の略半分である。そして、前側面は、略全面が平面状であり、左側面の前端部には、左側に向けて開口する取付溝７２を形成してあり、後側面の左右中央の上部と下部には、それぞれ上下に二つ並んだネジ孔７３，７４を形成してある。
【００２５】
連結材８は、樹脂製であって、図１０及び図１１に示すように、平板状の基板部８１と、基板部８１の上側面及び下側面に形成した挿入部８２からなる。基板部８１は、装飾パネル７の断面形状と略同一形状であり、挿入部８２は、基板部８１の周縁部に立設された壁面からなるものであって、装飾パネル７の上下の開口部７１に嵌合する形状である。
【００２６】
そして、意匠柱３を組み立てるには、まず、複数の装飾パネル７を連結材８により上下方向に連結する。すなわち、図１１に示すように、連結材８の上側の挿入部８２を、上側の装飾パネル７の下端の開口部７１に挿入し、連結材８の下側の挿入部８２を、下側の装飾パネル７の上端の開口部７１に挿入する。そして、装飾パネル７の上部及び下部の上下に二つ並ぶネジ孔のうち、端部側のネジ孔７３（上部においては上側のネジ孔、下部においては下側のネジ孔）にネジを挿入し、連結材８の挿入部８２に螺合して、装飾パネル７と連結材８を固定する。このようにして連結すると、連結材８の挿入部８２は、装飾パネル７の内部に納まって見えなくなり、基板部８１の側周面のみが露出して、複数の装飾パネル７が平板状の基板部８１を挟んで上下に並んだ状態になる。そして、このように装飾パネル７を連結したものを二本作り、それらを左右方向に並べて、ベースパネル６の前側面に取り付ける。ベースパネル６には、装飾パネル７の上部及び下部の上下に二つ並ぶネジ孔のうち、中央側のネジ孔７４（上部においては下側のネジ孔、下部においては上側のネジ孔）の位置に合わせて、ネジ孔６２を形成してある。ただし、装飾パネル７は複数が一体になっているので、すべてのネジ孔７４にネジを螺合する必要はなく、そのうちの一部のネジ孔７４に対応してベースパネル６にネジ孔６２を形成すれば十分である。このネジ孔６２は凹溝６１の底面に位置しており、ベースパネル６のネジ孔６２にネジを挿入し、装飾パネル７のネジ孔７４に螺合して、ベースパネル６と装飾パネル７を固定する。最後に、ベースパネル６の後側から凹溝６１に目板６３を取り付け、ネジを覆い隠してパネル体が完成する。
【００２７】
なお、装飾パネル７については、種々の長さのもの、また、塗装やラミネート加工などにより種々の色や木目模様などを表したものを備えてあり、それらを自在に選択して組み合わせられる。
【００２８】
そして、意匠柱３のベースパネル６の連結片６４を主柱１の連結溝１２に挿入し、後側から主柱１とベースパネル６に跨って連結板１５を当接させ、連結板１５を主柱１とベースパネル６にそれぞれネジ止めしてある。なお、図８及び図９に示すように、意匠柱３の前側面の左上部には、透光性パネル４を取り付けてあり、これが表札になっている。透光性パネル４は、左側の列の上部の装飾パネル７の替わりに取り付けてあり、透光性パネル４の直下の装飾パネル７の上端部には、図１０に示すように、平板状の蓋材７５を取り付けて、開口部７１を塞いである。そして、透光性パネル４の右端は、右側の列の装飾パネル７の取付溝７２に挿入してあり、透光性パネル４の左端は、主柱１の溝部１１に納めた照明具５と主柱１の前側面の間の隙間に挿入してある。よって、図８に示すように、照明具５は透光性パネル４の後側に位置し、透光性パネル４を背面から照らす。
【００２９】
このように構成した本発明の機能柱の第三実施形態によれば、インターホン２４やポスト２５などの機能部を左側面に集めたので、前側面の意匠が制約されない。そして、意匠柱３は、ベースパネル６に対して、その前側面を覆う装飾パネル７を付け替え及び組み替え自在で、前側面の意匠を自在に変えられる。
【００３０】
そして特にこの意匠柱３においては、各装飾パネル７の長さ、色や模様を変えたり、左右方向に並べた装飾パネル７同士で連結位置を上下にずらしたりすることで、ランダム調の意匠を容易に構成できる。また、装飾パネル７同士の連結は、連結材８を挿入してネジ止めすればよいので容易である。さらに、こうして上下方向に連結して一体になった装飾パネル７をベースパネル６にネジ止めするので、装飾パネル７同士の位置合わせなどが必要なく、また装飾パネル７を一つずつベースパネル６にネジ止めする場合と比べて、ネジ止め箇所が少なくて済み、施工性がよい。
【００３１】
また、照明具５が主柱１と意匠柱３の間に内蔵され、外部からは視認できないので、シンプルな外観で意匠性が良好である。そして、意匠柱３の前側面に取り付けた透光性パネル４を照明具５が背面側から照らすので、意匠柱３自体が光るような特徴ある意匠となる。また、意匠柱３において透光性パネル４を設ける高さ位置は自在に変更でき、照明具５の高さ位置も主柱１の溝部１１に沿って自在に変更できるので、照明具５を透光性パネル４に合わせた位置に取付可能である。
【００３２】
なお、上記の第一実施形態、第二実施形態及び第三実施形態の何れにおいても、主柱１と、側面柱２と、意匠柱３が上面視して略Ｌ字形に配置された形状となっており、これらの上端にキャップ９を取り付けて開口部を塞いである。図１２に示すように、キャップ９は、前側部材９１と後側部材９２に分割されている。前側部材９１と後側部材９２は、何れもアルミ押出形材からなり、略平板状である。前側部材９１は押出方向である左右方向に延びており、下面には左右に延びる垂下片９３を形成してある（主柱１と意匠柱３の連結箇所に対応する部分は切り欠いてある）。一方、後側部材９２は押出方向である前後方向に延びており、下面には前後に延びる垂下片９３と、タッピングホール９４を形成してある。そして、前側部材９１の後側面に後側部材９２を当接させて略Ｌ字形となっており、前側部材９１と後側部材９２の当接部においては、水の浸入を防ぐためのシール部材９５を挟み込んで、前側部材９１の垂下片９３と後側部材９２のタッピングホール９４をネジ止めしてある。取り付けに際しては、前側部材９１及び後側部材９２の垂下片９３を、主柱１、意匠柱３及び側面柱２の上端の開口部に挿入して位置決めし、前側部材９１については、垂下片９３に対して主柱１及び意匠柱３の後側面からネジ止めし、後側部材９２については、タッピングホール９４に対して側面柱２の後側面からネジ止めする。このような構造にすることで、略Ｌ字形の機能柱に対応するキャップ９を、押出成形によって容易に製造可能である。
【００３３】
本発明は、上記の実施形態に限定されない。たとえば、側面柱には、インターホン又はポストの少なくとも何れか一方を設けてあればよく、さらにその他の機能を備えるものであってもよい。また、意匠柱は、第一実施形態や第三実施形態のように、前側面を含む一部が付け替え自在なものであってもよいし、第二実施形態のように、全部が付け替え自在なものであってもよい。さらに、透光性パネルは、表札として用いられるものに限られず、その他の情報を表示する表示板として用いられるものであってもよいし、何も表示されていないものであってもよい。また、第一実施形態において、ベースパネルと化粧パネルの形状や連結構造はどのようなものであってもよい。さらに、透光性パネルは、意匠柱の側面（前側面、後側面及び右側面）の少なくとも一部に設けてあればよい。また、第二実施形態において、主柱と意匠柱の間の隙間は、上下方向の全長にわたって設けたものでなくてもよく、少なくとも照明具に合わせた高さ位置に設けてあればよい。また、第三実施形態において、ベースパネル、装飾パネル及び連結材の形状や連結構造はどのようなものであってもよい。また、連結した装飾パネルを、ベースパネルに三つ以上並べて取り付けてもよい。さらに、装飾パネルについては、異なる素材からなるものを組み合わせて用いてもよい。
【符号の説明】
【００３４】
１  主柱
２  側面柱
３  意匠柱
２４  インターホン
２５  ポスト
【図１】
2019152093.tif 000003
【図２】
2019152093.tif 000004
【図３】
2019152093.tif 000005
【図４】
2019152093.tif 000006
【図５】
2019152093.tif 000007
【図６】
2019152093.tif 000008
【図７】
2019152093.tif 000009
【図８】
2019152093.tif 000010
【図９】
2019152093.tif 000011
【図１０】
2019152093.tif 000012
【図１１】
2019152093.tif 000013
【図１２】
2019152093.tif 000014